(57)【要約】  免許不要帯域の送信時間の指示方法、ネットワーク装置および端末を提供する。前記方法は、チャネル状態を監視することと、前記チャネルがアイドル状態にある場合において、ネットワーク装置の残りのＣＯＴを示すための第１のＣＯＴ情報を指示することと、を含む。
2022501908.tif 000002
【特許請求の範囲】
【請求項１】
ネットワーク装置に適用する、免許不要帯域の送信時間の指示方法であって、
チャネル状態を監視することと、
前記チャネルがアイドル状態にある場合において、ネットワーク装置の残りのＣＯＴを示すための第１のＣＯＴ情報を指示することと、を備えることを特徴とする方法。
【請求項２】
前記第１のＣＯＴ情報を指示することは、
最初に送信したｓｌｏｔまたはｐａｒｔｉａｌ  ｓｌｏｔ、ｍｉｎｉ−ｓｌｏｔの中において、第１のＣＯＴ情報を指示することを含む、ことを特徴とする請求項１に記載の方法。
【請求項３】
最初に送信したｓｌｏｔまたはｐａｒｔｉａｌ  ｓｌｏｔ、ｍｉｎｉ−ｓｌｏｔの中において、第１のＣＯＴ情報を指示した後、第１のＣＯＴ情報を指示することはさらに、
第１のＣＯＴ情報を定期的に指示することを含む、ことを特徴とする請求項２に記載の方法。
【請求項４】
前記第１のＣＯＴ情報を指示する周期の単位はｍｓ、ｓｕｂｆｒａｍｅまたはｓｌｏｔである、ことを特徴とする請求項３に記載の方法。
【請求項５】
前記周期は少なくとも１つのｓｌｏｔを含み、前記第１のＣＯＴ情報は、前記周期における任意のｓｌｏｔにある、ことを特徴とする請求項４に記載の方法。
【請求項６】
ネットワーク装置の総ＣＯＴが増加した場合、前の周期において指示した第１のＣＯＴ情報および増加したＣＯＴによって、次の周期に指示する第１のＣＯＴ情報を取得する、ことを特徴とする請求項５に記載の方法。
【請求項７】
前記残りのＣＯＴの単位は、ｍｓ、ｓｕｂｆｒａｍｅ、ｓｌｏｔ、ｍｉｎｉ−ｓｌｏｔまたはｓｙｍｂｏｌである、ことを特徴とする請求項１に記載の方法。
【請求項８】
前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値である、ことを特徴とする請求項７に記載の方法。
【請求項９】
前記第１のＣＯＴ情報は、初期信号、ＤＣＩまたはシーケンスによって運ばれる、ことを特徴とする請求項１に記載の方法。
【請求項１０】
前記初期信号は、ＰＤＣＣＨの中、またはＰＤＣＣＨドメインにおける第１のプリセット位置に存在する、ことを特徴とする請求項９に記載の方法。
【請求項１１】
前記シーケンスは、ＰＤＣＣＨドメインにおける第２のプリセット位置に存在する、ことを特徴とする請求項９に記載の方法。
【請求項１２】
チャネル状態を監視する前に、前記方法はさらに、
第２のＣＯＴ情報を受信した場合において、前記第２のＣＯＴ情報により、隣接セルのネットワーク装置のＣＯＴ終了時刻を確認することを含み、前記ＣＯＴ終了時刻は、チャネル状態を監視する時刻を確認するために使用し、前記第２のＣＯＴ情報は、前記隣接セルのネットワーク装置によって送信され、前記隣接セルのネットワーク装置の、残りのＣＯＴを指示するために使用する、ことを特徴とする請求項１に記載の方法。
【請求項１３】
チャネル状態を監視することは、
前記ＣＯＴ終了時刻からチャネル状態を監視すること、または、
前記ＣＯＴ終了時刻の１つ前のｓｌｏｔ／ｓｕｂｆｒａｍｅでチャネル状態を監視すること、を備えることを特徴とする請求項１２に記載の方法。
【請求項１４】
端末に適用する、免許不要帯域の送信時間の指示方法であって、
残りのＣＯＴを示すための第１のＣＯＴ情報を受信することと、
前記残りのＣＯＴにおいて、ＰＤＣＣＨブラインド検出を実行することと、を備える方法。
【請求項１５】
第１のＣＯＴ情報を受信することは、
最初に送信したｓｌｏｔまたはｐａｒｔｉａｌ  ｓｌｏｔ、ｍｉｎｉ−ｓｌｏｔの中において、第１のＣＯＴ情報を受信することを含む、ことを特徴とする請求項１４に記載の方法。
【請求項１６】
最初に送信したｓｌｏｔまたはｐａｒｔｉａｌ  ｓｌｏｔ、ｍｉｎｉ−ｓｌｏｔの中において、第１のＣＯＴ情報を受信した後、第１のＣＯＴ情報を受信することはさらに、
第１のＣＯＴ情報を定期的に受信することを含む、ことを特徴とする請求項１５に記載の方法。
【請求項１７】
前記第１のＣＯＴ情報を受信する周期単位はｍｓ、ｓｕｂｆｒａｍｅまたはｓｌｏｔである、ことを特徴とする請求項１６に記載の方法。
【請求項１８】
前記周期は少なくとも１つのｓｌｏｔを含み、前記第１のＣＯＴ情報は、前記周期における任意のｓｌｏｔにある、ことを特徴とする請求項１７に記載の方法。
【請求項１９】
前記残りのＣＯＴの単位は、ｍｓ、ｓｕｂｆｒａｍｅ、ｓｌｏｔ、ｍｉｎｉ−ｓｌｏｔまたはｓｙｍｂｏｌである、ことを特徴とする請求項１４に記載の方法。
【請求項２０】
前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値である、ことを特徴とする請求項１９に記載の方法。
【請求項２１】
前記第１のＣＯＴ情報は、初期信号、ＤＣＩまたはシーケンスによって運ばれる、ことを特徴とする請求項１４に記載の方法。
【請求項２２】
前記初期信号は、ＰＤＣＣＨの中、またはＰＤＣＣＨドメインにおける第１のプリセット位置に存在する、ことを特徴とする請求項２１に記載の方法。
【請求項２３】
前記シーケンスは、ＰＤＣＣＨドメインにおける第２のプリセット位置に存在する、ことを特徴とする請求項２１に記載の方法。
【請求項２４】
チャネル状態を監視するための監視モジュールと、
前記チャネルがアイドル状態にある場合において、ネットワーク装置の残りＣＯＴを示すための第１のＣＯＴ情報を指示することに使用する送信モジュールと、を備えることを特徴とするネットワーク装置。
【請求項２５】
残りのＣＯＴを示すための第１のＣＯＴ情報を受信することに使用する受信モジュールと、
前記残りのＣＯＴにおいて、ＰＤＣＣＨブラインド検出を実行することに使用する検出モジュールと、を備えることを特徴とする端末。
【請求項２６】
メモリと、プロセッサと、メモリに格納されており、前記プロセッサ上で実行できるプログラムと、を含み、プロセッサから前記プログラムを実行すると、請求項１〜１３のいずれか１項に記載の、免許不要帯域の送信時間の指示方法のステップが実行される、ことを特徴とするネットワーク装置。
【請求項２７】
メモリと、プロセッサと、メモリに格納されており、プロセッサ上で実行できるプログラムと、を含み、前記プロセッサから前記プログラムを実行すると、請求項１４〜２３のいずれか１項に記載の、免許不要帯域の送信時間の指示方法のステップが実行される、ことを特徴とする端末。
【請求項２８】
コンピュータプログラムが保存されており、プロセッサから前記コンピュータプログラムを実行すると、請求項１〜１３のいずれか１項に記載の、免許不要帯域の送信時間の指示方法のステップ、または請求項１４〜２３のいずれか１項に記載の、免許不要帯域の送信時間の指示方法のステップが実行される、ことを特徴とするコンピュータ読み取り可能な記憶媒体。
【発明の詳細な説明】
【技術分野】
【０００１】
（関連出願の相互参照）
本出願は、２０１８年９月２０日に中国で出願された中国特許出願第２０１８１１１０２３２８．９号の優先権を主張するものであり、参照によりその全体が本書に組み込まれる。
【０００２】
本開示は、通信技術分野に関し、特に、免許不要帯域の送信時間の指示方法、ネットワーク装置および端末に関する。
【背景技術】
【０００３】
将来の通信システムでは、免許不要帯域（Ｕｎｌｉｃｅｎｓｅｄ  Ｂａｎｄ）は、免許帯域（Ｌｉｃｅｎｓｅｄ  Ｂａｎｄ）の補充として、通信事業者のサービス拡張に役立つことができる。ＮＲ（Ｎｅｗ  Ｒａｄｉｏ）の展開との一貫性を維持して、ＮＲベースの未承認アクセスを最大限にするために、免許不要帯域は、５ＧＨｚ、３７ＧＨｚおよび６０ＧＨｚで動作することができる。免許不要帯域の大きな帯域幅（８０または１００ＭＨｚ）は、基地局（ｇＮＢ）およびユーザ端末（Ｕｓｅｒ  Ｅｑｕｉｐｍｅｎｔ、ＵＥ）の実施複雑度を低減することができる。免許不要帯域は、例えばＷｉＦｉや、レーダー、ＬＴＥ−ＬＡＡなどの複数の技術（ＲＡＴｓ）によって共同に使用されている。そのため、すべてのデバイスが公平に当該リソースを利用できるよう、一部の国または地域において、免許不要帯域の使用時に、例えばＬＢＴ（Ｌｉｓｔｅｎ  ｂｅｆｏｒｅ  ｔａｌｋ）、最大チャネル占有時間（Ｍａｘｉｍｕｍ  Ｃｈａｎｎｅｌ  Ｏｃｃｕｐａｎｃｙ  Ｔｉｍｅ、ＭＣＯＴ）などの規則を遵守する必要がある。送信ノードからメッセージを送信する必要があり、先にＬＢＴをする必要がある場合、周辺ノードに対して電力検出（Ｅｎｅｒｇｙ  Ｄｅｔｅｃｔｉｏｎ、ＥＤ）を実行すると、検出した電力が１つの閾値より低ければ、チャネルがアイドル状態になっていると判断し、送信ノードからメッセージを送信することができる。そうでなければ、チャネルがビジーであって、送信ノードからメッセージを送信できない。送信ノードは、基地局や、ＵＥ、ＷｉＦｉのアクセスポイント（Ａｃｃｅｓｓ  Ｐｏｉｎｔ、ＡＰ）などとすることができる。送信ノードが送信を開始すると、チャネル占有時間（Ｃｈａｎｎｅｌ  Ｏｃｃｕｐａｎｃｙ  Ｔｉｍｅ、ＣＯＴ）はＭＣＯＴを超えてはならない。
【０００４】
免許不要帯域において、チャネルの状態が確認できないため、ＵＥは、基地局がいつチャネルを取られるのか、基地局がチャネルを取った後送信するにはどれぐらいの時間が必要なのか、を予知できない。ＮＲの中には、セル固有の参照信号（Ｃｅｌｌ−ｓｐｅｃｉｆｉｃ  Ｒｅｆｅｒｅｎｃｅ  Ｓｉｇｎａｌ、ＣＲＳ）がないため、データがあるかないかにかかわらず、ＵＥは毎回、ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）のブラインド検出を実行する必要がある。また、ＵＥは各ｇＮＢの可能な送信開始位置で検出を実行する必要がある。例えば、ｓｙｍｂｏｌ  ＃０およびｓｙｍｂｏｌ＃７は、ＰＤＣＣＨ検出の頻度が高い。信号を検出した後、ＵＥは、ｇＮＢのチャネル占有時間内に各スロット（ｓｌｏｔ）の開始位置でＰＤＣＣＨを検出すればよい。しかし、ＵＥはｇＮＢのＣＯＴが分からないため、端末はいつｓｌｏｔ単位でＰＤＣＣＨ検出を実行するのかを知らない。そのため、関連技術の検出メカニズムにより、端末の電力はかなり消費される場合がある。
【発明の概要】
【０００５】
本開示は、端末の消費電力が多いという問題を解決するために、免許不要帯域の送信時間の指示方法、ネットワーク装置および端末を提供する。
【０００６】
本開示の第１の態様は、ネットワーク装置に適用する、免許不要帯域の送信時間の指示方法を提供する。本方法は、
チャネル状態を監視することと、
前記チャネルがアイドル状態にある場合、ネットワーク装置の残りのＣＯＴを示すための第１のＣＯＴ情報を指示することと、を備える。
【０００７】
本開示の第２の態様は、端末に適用する、免許不要帯域の送信時間の指示方法を提供する。本方法は、
残りのＣＯＴを示すための第１のＣＯＴ情報を受信することと、
前記残りのＣＯＴにおいて、ＰＤＣＣＨブラインド検出を実行することと、を備える。
【０００８】
本開示の第３の態様は、ネットワーク装置を提供する。前記装置は、
チャネル状態を監視するための監視モジュールと、
前記チャネルがアイドル状態にある場合、ネットワーク装置の残りＣＯＴを示すための第１のＣＯＴ情報を指示することに使用する送信モジュールと、を備える。
【０００９】
本開示の第４の態様は、端末を提供する。前記端末は、
残りのＣＯＴを示すための第１のＣＯＴ情報を受信することに使用する受信モジュールと、
前記残りのＣＯＴにおいて、ＰＤＣＣＨブラインド検出を実行することに使用する検出モジュールと、を備える。
【００１０】
本開示の第５の態様は、ネットワーク装置を提供する。前記装置は、メモリと、プロセッサと、前記メモリに格納されており、前記プロセッサ上で実行できるプログラムと、を備える。前記プロセッサによって前記プログラムを実行すると、上記の免許不要帯域の、送信時間の指示方法についてのステップが実行される。
【００１１】
本開示の第６の態様は、端末を提供する。前記端末は、メモリと、プロセッサと、前記メモリに格納されており、前記プロセッサ上で実行できるプログラムと、を備える。前記プロセッサによって前記プログラムを実行すると、上記の免許不要帯域の、送信時間の指示方法についてのステップが実行される。
【００１２】
本開示の第７の態様は、コンピュータ読み取り可能な記憶媒体を提供する。コンピュータ読み取り可能な記憶媒体にコンピュータプログラムが保存されており、プロセッサによって前記コンピュータプログラムを実行すると、上記のネットワーク装置側による免許不要帯域の送信時間の指示方法についてのステップ、または上記の端末側による免許不要帯域の送信時間の指示方法についてのステップが実行される。
【００１３】
ネットワーク装置のチャネルがアイドル状態にある場合、現在残りのＣＯＴに関する状況を通知するために、第１のＣＯＴ情報を指示する。そのため、端末は残りのＣＯＴ内にＰＤＣＣＨブラインド検出を有効にして、残りのＣＯＴの時間外にＰＤＣＣＨブラインド検出を無効にすることができる。このように、本開示により、端末の消費電力を低減することができる。
【図面の簡単な説明】
【００１４】
本開示の実施形態に係る技術方法をさらに詳しく説明するために、以下、本開示の実施形態を説明する時に必要となる図面について概略的に説明する。明らかに、下記の図面は本開示の一部の実施形態であって、本分野の一般技術者は、創造的な労働を作り出していないことを前提として、これらの図面によって他の図面を取得することができる。
【図１】本開示の一実施形態に応用可能なネットワークシステムの構成図である。
【図２】本開示の一実施形態により提供される、１つの免許不要帯域の送信時間の指示方法の流れ図である。
【図３】本開示の一実施形態により提供される免許不要帯域の送信時間の指示方法のうち、サブキャリア間隔が１５ＫＨｚである場合において第１のＣＯＴ情報の中に分布する残りのＣＯＴを示す概略図（その１）である。
【図４】本開示の一実施形態により提供される免許不要帯域の送信時間の指示方法のうち、サブキャリア間隔が１５ＫＨｚである場合において第１のＣＯＴ情報の中に分布する残りのＣＯＴを示す概略図（その２）である。
【図５】本開示の一実施形態により提供される免許不要帯域の送信時間の指示方法のうち、サブキャリア間隔が３０ＫＨｚである場合において第１のＣＯＴ情報の中に分布する残りのＣＯＴを示す概略図（その１）である。
【図６】本開示の一実施形態により提供される免許不要帯域の送信時間の指示方法のうち、サブキャリア間隔が３０ＫＨｚである場合において第１のＣＯＴ情報の中に分布する残りのＣＯＴを示す概略図（その２）である。
【図７】本開示の一実施形態により提供される免許不要帯域の送信時間の指示方法のうち、サブキャリア間隔が１５ＫＨｚである場合において第１のＣＯＴ情報の中に分布する残りのＣＯＴを示す概略図（その３）である。
【図８】本開示の一実施形態により提供される、もう１つの免許不要帯域の送信時間の指示方法の流れ図である。
【図９】本開示の一実施形態により提供される１つのネットワーク装置の構成図である。
【図１０】本開示の一実施形態により提供される１つの端末の構成図である。
【図１１】本開示の一実施形態により提供されるもう１つのネットワーク装置の構成図である。
【図１２】本開示の一実施形態により提供されるもう１つの端末の構成図である。
【発明を実施するための形態】
【００１５】
以下、図面を参照しながら本開示の実施形態の詳細について述べる。下記の実施例は、本開示の一部の実施形態であって、すべての実施形態ではない。本開示の実施形態に基づいて、本分野の一般技術者が創造的な労働を作り出していないことを前提として取得した、その他のすべての実施形態は、すべて本開示の保護対象となる。
【００１６】
本出願の明細書と特許請求の範囲に記載の用語「備える」、「含む」およびその他のすべての変形は、「非排他的な包括」という意味をカバーすることが意図される。例えば、一連の手順または手段のプロセス、方法、システム、製品またはデバイスを含む場合、その手順または手段を詳しく列記することに限定されなく、詳しく列記していない手順と手段、またはそのプロセス、方法、製品、デバイスの固有的な他の手順または手段を含み得るということである。また、明細書と請求項で用いた「および／または」は、接続対象のうちの、少なくとも１つ以上のものを示す。例えば、Ａおよび／またはＢは、Ａ、ＢまたはＡとＢの３つの状況を示す。
【００１７】
本開示の実施形態に関する説明に記載の「例示的」または「例えば」などの用語は、用例、例証または説明を示す。本開示の実施形態に関して、「例示的」または「例えば」で説明しているいかなる実施形態または設計方法は、他の実施形態または設計方法よりも好ましいかまたは有利であると必ずしも解釈されるべきではない。むしろ、語句「例示的」または「例えば」の使用は、具体的な形で概念を提示することが意図される。
【００１８】
以下、図面に基づいて本発明の実施の形態を説明する。本開示は、無線通信システムに適用可能な免許不要帯域の送信時間の指示方法、ネットワーク装置および端末を提供する。無線通信システムは、５ＧシステムまたはｅＬＴＥ（Ｅｖｏｌｖｅｄ  Ｌｏｎｇ  Ｔｅｒｍ  Ｅｖｏｌｕｔｉｏｎ）システム、もしくはＬＴＥ−Ａｄｖａｎｃｅｄ通信システムであってもよい。
【００１９】
図１は、本開示の実施形態に応用可能なネットワークシステムの構成図である。図１に示すように、当該ネットワークシステムは端末１１および端末１２を含む。ここで、端末１１は、例えば携帯電話、タブレット（Ｔａｂｌｅｔ  Ｐｅｒｓｏｎａｌ  Ｃｏｍｐｕｔｅｒ）、ノートパソコン（Ｌａｐｔｏｐ  Ｃｏｍｐｕｔｅｒ）、携帯情報端末（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、またはウェアラブル端末（Ｗｅａｒａｂｌｅ  Ｄｅｖｉｃｅ）などの端末側装置であるユーザ端末またはその他の端末装置とすることができる。なお、本開示において、端末１１の種類は、特に限定されるものではない。上記のネットワーク装置１２は、５Ｇ基地局、またはそれ以降のバージョンの基地局、もしくは、その他の通信システムにある基地局であっても、ノードＢ（Ｎｏｄｅ  Ｂ、ＮＢ）、進化型ノードＢ（Ｅｖｏｌｖｅｄ  Ｎｏｄｅ  Ｂ、ｅＮＢ）、送信・受信ポイント（Ｔｒａｎｓｍｉｓｓｉｏｎ  Ｒｅｃｅｐｔｉｏｎ  Ｐｏｉｎｔ，ＴＲＰ）、アクセスポイント（Ａｃｃｅｓｓ  Ｐｏｉｎｔ、ＡＰ）または前記分野におけるその他の用語で呼ばれでもよい。同じ技術効果を達成可能であれば、前記ネットワーク装置は特定の技術用語に限定されない。また、前記ネットワーク装置１２はマスターノード（Ｍａｓｔｅｒ  Ｎｏｄｅ、ＭＮ）、またはセカンダリノード（Ｓｅｃｏｎｄａｒｙ  Ｎｏｄｅ、ＳＮ）とすることができる。なお、本開示において、５Ｇを例とするが、ネットワーク装置の種類は特に限定されるものではない。
【００２０】
図２は本開示の一実施形態により提供される免許不要帯域の送信時間の指示方法の流れ図である。当該方法は、免許不要帯域の送信時間の指示方法に適用されており、図２に示すように、以下のステップを含む。
【００２１】
ステップ２０１：チャネル状態を監視する。
【００２２】
本開示の実施形態が提供する免許不要帯域の送信時間の指示方法は、主にネットワーク装置に適用する。ネットワーク装置により、データを送信する場合は、まずＬＢＴを実行して、周辺のノード電力に対して検出し、チャネル状態を監視する。具体的に、検出した電力は１つの閾値より低い場合、チャネルがアイドル状態にあると判断し、ネットワーク装置によって送信することができる。閾値より高い場合、チャネルがビジーであると判断し、ネットワーク装置からデータを送信できない。
【００２３】
ステップ２０２：前記チャネルがアイドル状態にある場合、ネットワーク装置の残りのＣＯＴを示すための、第１のＣＯＴ情報を指示する。
【００２４】
ネットワーク装置によってデータを送信する必要がある場合、通常、送信データに基づいて総ＣＯＴを確認する必要があって、総ＣＯＴがＭＣＯＴより小さい。例えば、ＭＣＯＴが４ｍｓであれば、総ＣＯＴは３ｍｓとすることができる。ネットワーク装置からチャネルがアイドル状態にあることを検出した場合、第１のＣＯＴ情報を指示する。総ＣＯＴは、チャネルが実際に送信を開始するときから計算し、上記の残りのＣＯＴは、総ＣＯＴから第１のＣＯＴ情報を指示するスロットを除いた後に残ったチャネル占有時間であって、第１のＣＯＴ情報のスロットを指示し始めた時間から計算した残りのチャネル占有時間を示すこともできる。
【００２５】
端末は、ネットワーク装置が指示するＣＯＴ情報を受信した後、残りのＣＯＴによって、その後のＰＤＣＣＨブラインド検出の時間を決定する。つまり、ＰＤＣＣＨ監視周期によってＰＤＣＣＨ検出を開始することであって、ｆｕｌｌ  ＰＤＣＣＨ検出とも呼ばれる。具体的に、端末は残りのＣＯＴ時間内にＰＤＣＣＨブラインド検出を有効にして、残りのＣＯＴの時間外にＰＤＣＣＨブラインド検出を無効にする。
【００２６】
本開示の実施形態において、ネットワーク装置のチャネルがアイドル状態にある場合、現在残りのＣＯＴに関する状況を通知するために、第１のＣＯＴ情報を指示する。そのため、端末は残りのＣＯＴ内にＰＤＣＣＨブラインド検出を有効にして、残りのＣＯＴの時間外にＰＤＣＣＨブラインド検出を無効にすることができる。このように、本開示により、端末の消費電力を低減することができる。
【００２７】
なお、上記の残りのＣＯＴの単位（すなわち、時間の粒度）は、必要に応じて設定することができる。例えば、本実施形態において、当該残りのＣＯＴの単位はミリ秒（ｍｓ）、サブフレーム（ｓｕｂｆｒａｍｅ）、スロット（ｓｌｏｔ）、ミニスロット（ｍｉｎｉ−ｓｌｏｔ）またはシンボル（ｓｙｍｂｏｌ）である。例えば、ｍｓを用いて残りのＣＯＴの単位とする場合、残りのＣＯＴは、Ｎ個のｍｓを示すことができる。ｓｕｂｆｒａｍｅを用いて残りのＣＯＴの単位とする場合、残りのＣＯＴは、Ｎ個のｓｕｂｆｒａｍｅを示すことができる。ｍｉｎｉ−ｓｌｏｔを用いて残りのＣＯＴの単位とする場合、残りのＣＯＴは、Ｎ個のｍｉｎｉ−ｓｌｏｔを示すことができる。ｓｌｏｔを用いて残りのＣＯＴの単位とする場合、残りのＣＯＴは、Ｎ個のｓｌｏｔを示すことができる。
【００２８】
さらに、前記残りのＣＯＴのフォーマットは、整数、または少数とすることがきる。本実施形態において、指示の困難さを減少するために、オプションで、残りのＣＯＴは整数で示すことができる。具体的に、一実施形態において、残りのＣＯＴは、実際の残り時間に基づいて、残りのＣＯＴの時間粒度によって次の整数値に繰り上げた値である。例えば、２ｍｓ＜実際の残りＣＯＴ時間＜３ｍｓの場合、残りのＣＯＴの値は３ｍｓになる。このように、すべての送信ｓｌｏｔにおいてＰＤＣＣＨブラインド検出を有効にして、データを見逃すことを避けることが可能である。これにより、データ送信の信頼性が確保される。別の実施形態において、残りのＣＯＴは、実際の残り時間に基づいて、前記残りのＣＯＴの時間粒度によって前の整数値に繰り下げた値である。ここで、データを逃すことを避けるために、プロトコルを介して受信した残りのＣＯＴのうえで事前に１つの時間単位を増加する条件を定めることができる。例えば、２ｍｓ＜実際の残りＣＯＴ時間＜３ｍｓの場合、残りのＣＯＴの値は２ｍｓであって、端末から受信した残りのＣＯＴは２ｍｓであれば、３ｍｓ以内にＰＤＣＣＨブラインド検出が実行される。本開示をよりよく理解できるよう、以下では、各実施形態において、残りのＣＯＴは実際の残り時間に基づいて前記残りのＣＯＴの時間粒度によって次の整数値に繰り上げた値であること、について詳しく説明する。
【００２９】
１つのオプションの実施方法における、上述した、第１のＣＯＴ情報を指示することは、
最初に送信したｓｌｏｔまたはｐａｒｔｉａｌ  ｓｌｏｔ、ｍｉｎｉ−ｓｌｏｔの中において、第１のＣＯＴ情報を指示すること、を含む。
【００３０】
具体的には、サブキャリア間隔によって送信ｓｌｏｔの分割が異なる。図３と図５を参照。図３はサブキャリア間隔が１５ＫＨｚである場合において分布する残りのＣＯＴの概略図（その１）である。図５はサブキャリア間隔が３０ＫＨｚである場合において分布する残りのＣＯＴの概略図（その１）である。図３にある第１のｓｌｏｔは、ＬＢＴ時間、チャネル使用時間（ｃｈａｎｎｅｌ  ｒｅｓｅｒｖａｔｉｏｎ）（ＬＢＴと第１の送信ｐａｒｔｉａｌ  ｓｌｏｔ間の間隔とも呼ばれる）および第１の送信ｐａｒｔｉａｌ  ｓｌｏｔを含む。この時、第１の送信ｐａｒｔｉａｌ  ｓｌｏｔの中において第１のＣＯＴ情報を示すことができる。図５にある第１の送信ｓｌｏｔは完全なスロットであって、この時、第１の送信ｓｌｏｔの中において第１のＣＯＴ情報を示すことができる。
【００３１】
ＤＲＸ（Ｄｉｓｃｏｎｔｉｎｕｏｕｓ  Ｒｅｃｅｐｔｉｏｎ）アーキテクチャの端末を考慮することにより、第１の送信ｓｌｏｔまたはｐａｒｔｉａｌ  ｓｌｏｔ、ｍｉｎｉ−ｓｌｏｔのみにおいて前記第１のＣＯＴ情報を指示する場合、ＤＲＸアーキテクチャの端末が休止状態（ＤＲＸ−ＯＦＦ）であれば、第１のＣＯＴ情報を受信できなくなる。さらに、すべての端末から残りのＣＯＴを取得できるよう、定期的に第１のＣＯＴ情報を指示して、端末によってアクティブ期間（ＤＲＸ−ＯＮ）に残りのＣＯＴを受信できるようにする。例えば、本実施形態では、最初に送信したｓｌｏｔまたはｐａｒｔｉａｌ  ｓｌｏｔ、ｍｉｎｉ−ｓｌｏｔの中において、第１のＣＯＴ情報を指示した後、第１のＣＯＴ情報を指示することはさらに、第１のＣＯＴ情報を定期的に指示することを含む。
【００３２】
上記の方法は、１周期ごとに第１のＣＯＴ情報を更新し、各周期内に対応する第１のＣＯＴ情報を指示する。
【００３３】
前記第１のＣＯＴ情報を指示する周期の単位はｍｓ、ｓｕｂｆｒａｍｅまたはｓｌｏｔである。周期の時間の長さは、必要に応じて設定することができる。例えば、周期の単位がｍｓの場合、Ｍ個のｍｓを用いて１つの周期とすることができる。周期の単位がｓｕｂｆｒａｍｅの場合、Ｍ個のｓｕｂｆｒａｍｅを用いて１つの周期とすることができる。周期の単位がｓｌｏｔの場合、Ｍ個のｓｌｏｔを用いて１つの周期とすることができる。本開示では、前記周期は少なくとも１つのｓｌｏｔを含む。前記第１のＣＯＴ情報は、前記周期における任意のｓｌｏｔにある。
【００３４】
図３と図４に示すように、サブキャリア間隔が１５ＫＨｚである場合、１個のｍｓまたは１個のｓｕｂｆｒａｍｅ、１個のｓｌｏｔを周期とし、その後に第１のＣＯＴ情報を定期的に指示することができる。ここで、１周期は１個のｓｌｏｔのみを含む。つまり、１個のｓｌｏｔにおいて第１のＣＯＴ情報を指示する。
【００３５】
図５と図６に示すように、サブキャリア間隔が３０ＫＨｚである場合、１個のｍｓまたは１個のｓｕｂｆｒａｍｅ、もしくは２個のｓｌｏｔを周期とし、その後に第１のＣＯＴ情報を定期的に指示することができる。ここで、１周期は２個のｓｌｏｔを含む。つまり、各周期内において、最初のｓｌｏｔに第１のＣＯＴ情報を指示することも可能であって、最後のｓｌｏｔに第１のＣＯＴ情報を指示することも可能である。第１のＣＯＴ情報は定期的な指示であることにより、各周期内に第１のＣＯＴ情報を指示するためのｓｌｏｔは同じ位置にあることを理解されたい。
【００３６】
残りのＣＯＴの定義をよりよく理解できるよう、以下、図３と図７を例として説明する。図３に示すように、一実施形態において、現在第１のＣＯＴ情報を指示するｓｌｏｔを除いて残りのＣＯＴを計算する。ネットワーク装置の総ＣＯＴは３ｍｓであって、第１の送信ｐａｒｔｉａｌ  ｓｌｏｔにおいて残りのＣＯＴは３ｍｓであると指示する場合、現在第１のＣＯＴ情報を指示するためのｐａｒｔｉａｌ  ｓｌｏｔを引くと、残りのＣＯＴは３ｍｓであることを示す。具体的に、ＣＯＴの時間粒度はｍｓ、総ＣＯＴは３ｍｓ、総ＣＯＴはｃｈａｎｎｅｌ  ｒｅｓｅｒｖａｔｉｏｎを含み、計算後の実際の残り時間は３ｍｓより小さいである。この場合は、次の整数値に繰り上げて３ｍｓになる。そのため、第１の送信ｐａｒｔｉａｌ  ｓｌｏｔにおいて、残りのＣＯＴ＝３ｍｓと指示する。同様に、第１のｆｕｌｌ  ｓｌｏｔ（つまり、第１周期のｓｌｏｔ）内において、残りのＣＯＴ＝２ｍｓと指示する。実際の残り時間は２ｍｓより小さいであって、次の整数値に繰り上げると２ｍｓになる。図７に示すように、別の実施形態において、現在第１のＣＯＴ情報を指示するｓｌｏｔから残りのＣＯＴを計算する。ネットワーク装置の総ＣＯＴは３ｍｓであって、第１の送信ｐａｒｔｉａｌ  ｓｌｏｔにおいて残りのＣＯＴは３ｍｓであると指示する場合、現在第１のＣＯＴ情報を指示するためのｐａｒｔｉａｌ  ｓｌｏｔから計算し、残りのＣＯＴは３ｍｓであることを示す。具体的に、ＣＯＴの時間粒度はｍｓ、総ＣＯＴは３ｍｓ、総ＣＯＴはｃｈａｎｎｅｌ  ｒｅｓｅｒｖａｔｉｏｎを含み、計算後の実際の残り時間は３ｍｓより小さいである。この場合は、次の整数値に繰り上げて３ｍｓになる。そのため、第１の送信ｐａｒｔｉａｌ  ｓｌｏｔにおいて、残りのＣＯＴ＝３ｍｓと指示する。同様に、第１のｆｕｌｌ  ｓｌｏｔ（つまり、第１周期のｓｌｏｔ）内において、残りのＣＯＴ＝３ｍｓと指示する。実際の残り時間は３ｍｓより小さいであって、次の整数値に繰り上げると３ｍｓになる。第２のｆｕｌｌ  ｓｌｏｔ（つまり、第２周期のｓｌｏｔ）内において、残りのＣＯＴ＝２ｍｓと指示する。実際の残り時間は２ｍｓより小さいであって、次の整数値に繰り上げると２ｍｓになる。
【００３７】
さらに、データ送信中に、ネットワーク装置の総ＣＯＴは実際の送信データによって変わることが考慮される。例えば、データ送信中、新しいデータが到着するとき、またはデータを再送信するときに、ネットワーク装置はＣＯＴを増加して、新しいデータまたは再送信する必要があるデータを伝送する。このように、ＣＯＴが増える。ここで、再送信するデータは、送信に失敗したデータまたはその他の原因によって再送信する必要があるデータである。総ＣＯＴが増えると、後ろのｓｌｏｔが指示する残りのＣＯＴは、その前のｓｌｏｔが指示する残りのＣＯＴより多い。具体的に、本実施形態では、総ＣＯＴが変わらない場合、各周期において指示する前記第１のＣＯＴ情報の対応する残りのＣＯＴは徐々に減る（詳細は図３を参照）。ネットワーク装置の総ＣＯＴが増えた場合、前の周期に指示する前記第１のＣＯＴ情報および増えたＣＯＴによって、次の周期において指示する第１のＣＯＴ情報を取得する。図４に示すように、第２のｆｕｌｌ  ｓｌｏｔ内において指示する残りのＣＯＴは、第１のｆｕｌｌ  ｓｌｏｔにおいて指示する残りのＣＯＴと同じである。なお、増加したＣＯＴは１つの単位時間より大きいである場合、第２のｆｕｌｌ  ｓｌｏｔにおいて指示する残りのＣＯＴは、第１のｆｕｌｌ  ｓｌｏｔにおいて指示する残りのＣＯＴより大きいという可能性がある。
【００３８】
例えば、図４に示すように、第１のｆｕｌｌ  ｓｌｏｔにおいて残りのＣＯＴ＝２ｍｓと指示した後、新しいデータが到着し、それにより総ＣＯＴの時間が１ｍｓ増えた場合、第１のｆｕｌｌ  ｓｌｏｔにおいて指示する残りのＣＯＴおよび増加したＣＯＴ  １ｍｓに基づいて、第２のｆｕｌｌ  ｓｌｏｔにおいて指示する残りのＣＯＴを計算する。本実施形態では、第２のｆｕｌｌ  ｓｌｏｔにおいて指示する残りのＣＯＴは、第１のｆｕｌｌ  ｓｌｏｔにおいて指示する残りのＣＯＴと同じであって、２ｍｓである。本実施形態において、残りのＣＯＴは単調に減少するではない。新しいデータが到着すると、調整を行って、ＰＤＣＣＨ検出の完全性を確保し、データの損失を防ぐ。
【００３９】
残りのＣＯＴは異なる単位で表示できるため、対応する残りのＣＯＴのサイズも異なることを理解されたい。図５と図６に示すように、一実施形態において、残りのＣＯＴは１ｍｓまたは１ｓｕｂｆｒａｍｅを周期として更新するときに、サブキャリア間隔が１５ＫＨｚより大きい場合、２ｎ個のｓｌｏｔごとに更新しつつ第１のＣＯＴ情報を指示する。ここで、ｎは現在サブキャリア間隔と１５ＫＨｚの比率に等しい。ｍｓまたはｓｕｂｆｒａｍｅを時間の粒度とし、第１のＣＯＴ情報を更新するときに、第１のＣＯＴ情報は、１つのｓｕｂｆｒａｍｅの最初または最後のｓｌｏｔにおいて指示することができる。図５では、残りのＣＯＴはｍｓで示す。第１の送信ｓｌｏｔの指示する第１のＣＯＴ情報以外、各周期において指示する第１のＣＯＴ情報は、すべてｓｕｂｆｒａｍｅの第１のｓｌｏｔにおいて指示する。図６に示すように、残りのＣＯＴをｓｌｏｔで示す場合、ｍｓまたはｓｕｂｆｒａｍｅを時間の粒度として第１のＣＯＴ情報を更新することもできる。図６では、ｎ＝２＝３０ＫＨｚ／１５ＫＨｚ。
【００４０】
なお、端末の自主的なアップリンク伝送（Ａｕｔｏｎｏｍｏｕｓ  ＵＬ  ｔｒａｎｓｍｉｓｓｉｏｎ）または権限不要伝送（ｃｏｎｆｉｇｕｒｅｄ  ｇｒａｎｔ  ｔｒａｎｓｍｉｓｓｉｏｎ）に対しても、上記の実施形態におけるスロット指示規則によって、残りのＣＯＴを指示することができる。端末の残りのＣＯＴを指示するときに、アップリンク制御情報（Ｕｐｌｉｎｋ  ｃｏｎｔｒｏｌ  ｉｎｆｏｒｍａｔｉｏｎ、ＵＣＩ）においてビットを追加して、端末の残りのＣＯＴを指示することができる。例えば、ＬＢＴ監視を実行して、チャネルがアイドル状態にあることを把握した場合、最初に送信したｓｌｏｔまたはｐａｒｔｉａｌ  ｓｌｏｔ、ｍｉｎｉ−ｓｌｏｔの中において、端末の残りのＣＯＴを指示することができる。さらに、最初に送信したｓｌｏｔまたはｐａｒｔｉａｌ  ｓｌｏｔ、ｍｉｎｉ−ｓｌｏｔの中において、残りのＣＯＴを指示した後、定期的に端末の残りのＣＯＴを指示する。具体的な実現方法は、上記の実施形態を参照。ここで、説明を省略する。
【００４１】
さらに、上記の第１のＣＯＴ情報は、初期信号、ダウンリンク制御情報（Ｄｏｗｎｌｉｎｋ  Ｃｏｎｔｒｏｌ  Ｉｎｆｏｒｍａｔｉｏｎ、ＤＣＩ）またはシーケンスによって運ぶことができる。
【００４２】
一実施形態によれば、第１のＣＯＴ情報は初期信号によって運ばれ、当該初期信号は、ＰＤＣＣＨの中、または前記ＰＤＣＣＨドメインにおける第１のプリセット位置に存在する。
【００４３】
具体的に、一実施形態において、当該初期信号はＰＤＣＣＨによって運ばれ、端末はネットワークが設定されている以下の１つまたは複数の内容に基づいて、ＰＤＣＣＨ  ＤＣＩに基づいて初期信号の検出を実行する。
１．  周期
２．  位置ずれ
３．  制御リソース集合ＣＯＲＥＳＥＴ
４．  ＤＣＩフォーマットおよび／またはＤＣＩサイズ
５．  制御チャネル要素（Ｃｏｎｔｒｏｌ  Ｃｈａｎｎｅｌ  Ｅｌｅｍｅｎｔｓ  ａｇｇｒｅｇａｔｉｏｎ、ＣＣＥ）の集計レベル（Ａｇｇｒｅｇａｔｉｏｎ  Ｌｅｖｅｌ、ＡＬ）
６．  ブラインド復号候補（ｂｌｉｎｄ  ｄｅｃｏｄｉｎｇ  ｃａｎｄｉｄａｔｅ、ＢＤ  ｃａｎｄｉｄａｔｅ）
【００４４】
端末から初期信号としてのＰＤＣＣＨ  ＤＣＩを検出した後、その指示によってネットワーク装置の残りのＣＯＴを取得する。端末は、残りのＣＯＴ以外、初期信号のみを検出することができる。端末から初期信号（任意の形式）を検出すると、以下の一般的な操作が実行される。
１．  一般的なＰＤＣＣＨ監視
２．  チャネルおよび／または妨害測定などのチャネル状態情報（Ｃｈａｎｎｅｌ  Ｓｔａｔｅ  Ｉｎｆｏｒｍａｔｉｏｎ、ＣＳＩ）の測定
【００４５】
別の実施形態において、初期信号は、ＰＤＤＣＨドメインの固定位置から独立した信号として発送することもできる。その固定位置は、前記の第１のプリセット位置であって、具体的な位置の設定については、ここで説明を省略する。
【００４６】
オプションで、別の実施形態において、上記の第１のＣＯＴ情報はシーケンスに存在することができる。そのシーケンスは、ＰＤＣＣＨドメインにおける第２のプリセット位置にある。
【００４７】
本実施形態において、前記シーケンスはＷｉＦｉのシーケンス（ＷｉＦｉ−ｌｉｋｅ  ｐｒｅａｍｂｌｅ）またはその他の形式のシーケンスである。具体的に、ネットワーク装置は、固定位置からＷｉＦｉ−ｌｉｋｅ  ｐｒｅａｍｂｌｅ、またはその他のシーケンスを用いてネットワーク装置の残りのＣＯＴを指示することができる。例えば、ＰＤＣＣＨの第１のｓｙｍｂｏｌから対応するシーケンスを発送する。
【００４８】
オプションで、もう１つの実施形態において、上記の第１のＣＯＴ情報はＤＣＩに存在することができる。前記ＤＣＩは、ＧＣ−ＰＤＣＣＨ（Ｇｒｏｕｐ  ｃｏｍｍｏｎ  ＰＤＣＣＨ）上のＤＣＩとすることができる。前記第１のＣＯＴ情報はプリセットの形式によって指示する。もしくは、前記第１のＣＯＴ情報はＧＣ−ＰＤＣＣＨの形式を用いて多重化することで指示する。また、前記第１のＣＯＴ情報は新しい無線ネットワークを介して一時的にＲＮＴＩストランブルと標記し、前記プリセットの形式は前記ＧＣ−ＰＤＣＣＨの形式とは異なる。ここで、前記ＧＣ−ＰＤＣＣＨの形式は関連技術におけるＧＣ−ＰＤＣＣＨの形式であって、前記第１のプリセット形式は新しいＤＣＩフォーマットである。前記ＤＣＩは、アップリンクまたはダウンリンクスケジューリングにあるＰＤＣＣＨのＤＣＩとすることもできる。前記第１のＣＯＴ情報はＤＣＩを介して、ドメイン指示を追加する。
【００４９】
さらに、オプションの一実施形態において、上記のステップ２０１の実行前、前記方法はさらに、
第２のＣＯＴ情報を受信した場合において、前記第２のＣＯＴ情報により、隣接セルのネットワーク装置のＣＯＴ終了時刻を確認する、ことを含む。前記ＣＯＴ終了時刻は、チャネル状態を監視する時刻を確認するために使用する。前記第２のＣＯＴ情報は、前記隣接セルのネットワーク装置によって送信され、前記隣接セルのネットワーク装置の、残りのＣＯＴを指示するために使用する。
【００５０】
そのうち、前記ネットワーク装置より発送した残りのＣＯＴは、端末から受信できるほか、他の隣接セルのネットワーク装置から受信することもできる。その同時に、隣接セルのネットワーク装置から伝送した残りのＣＯＴは前記ネットワーク装置によって受信することができる。隣接セルのネットワーク装置がチャネルを占有する期間、チャネルがビジーであるため、前記ネットワーク装置はデータを送信できなくなる。そのため、前記ネットワーク装置のＬＢＴ時間を減少するために、隣接セルのネットワーク装置のＣＯＴ終了時刻によって、ＬＢＴの開始時間を決定することができる。具体的に、本実施形態では、上記のステップ２０１は、
前記ＣＯＴ終了時刻からチャネル状態を監視すること、または、
前記ＣＯＴ終了時刻の１つ前のｓｌｏｔ／ｓｕｂｆｒａｍｅでチャネル状態を監視すること、を含む。
【００５１】
このように、ＣＯＴ終了時刻からチャネル状態を監視すること、またはＣＯＴ終了時刻の１つ前のｓｌｏｔ／ｓｕｂｆｒａｍｅでチャネル状態を監視することにより、隣接セルのネットワーク装置からデータを送信する期間、前記ネットワーク装置による不要なチャネル監視を回避して、ネットワーク装置の消費電力を減少することができる。なお、前記ネットワーク装置と隣接セルのネットワーク装置との時間は同期している。前記ネットワーク装置と隣接セルのネットワーク装置は、同じ通信事業者に属しても、異なる通信事業者に属しても構わない。
【００５２】
図８は本開示の一実施形態により提供されるもう１つの、免許不要帯域の送信時間の指示方法の流れ図である。当該方法は、端末に適用され、図８に示すように、以下のステップを含む。
ステップ８０１：第１のＣＯＴ情報をを受信する。前記第１のＣＯＴ情報は残りのＣＯＴを指示するために使用する。
ステップ８０２：前記残りのＣＯＴにおいて、ＰＤＣＣＨブラインド検出を実行する。
【００５３】
オプションで、上記の第１のＣＯＴ情報を受信することは、
最初に送信したｓｌｏｔまたはｐａｒｔｉａｌ  ｓｌｏｔ、ｍｉｎｉ−ｓｌｏｔの中において、第１のＣＯＴ情報を受信すること、を含み得る。
【００５４】
また、最初に送信したｓｌｏｔまたはｐａｒｔｉａｌ  ｓｌｏｔ、ｍｉｎｉ−ｓｌｏｔの中において、第１のＣＯＴ情報を受信した後、第１のＣＯＴ情報を受信することはさらに、
第１のＣＯＴ情報を定期的に受信することを含み得る。
【００５５】
オプションで、前記第１のＣＯＴ情報を受信する周期の単位はｍｓ、ｓｕｂｆｒａｍｅまたはｓｌｏｔとすることができる。
【００５６】
オプションで、前記周期は少なくとも１つのｓｌｏｔを含み得る。前記第１のＣＯＴ情報は、前記周期における任意のｓｌｏｔにある。
【００５７】
オプションで、上記の残りのＣＯＴの単位は、ｍｓ、ｓｕｂｆｒａｍｅ、ｓｌｏｔ、ｍｉｎｉ−ｓｌｏｔまたはｓｙｍｂｏｌとすることができる。
【００５８】
オプションで、前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値とすることができる。
【００５９】
あるいは、前記第１のＣＯＴ情報は、初期信号、ＤＣＩまたはシーケンスによって運ばれることができる。
【００６０】
また、オプションとして、前記初期信号は、ＰＤＣＣＨの中、またはＰＤＣＣＨドメインにおける第１のプリセット位置に存在してもよい。
【００６１】
オプションで、前記シーケンスは、ＰＤＣＣＨドメインにおける第２のプリセット位置に存在することができる。
【００６２】
なお、本実施形態は、図２に示す実施形態に対応する端末の実施方法であって、その具体的な実施方法は図２に示す実施形態についての説明を参照することで、同様な有益効果を達成することができる。ここで説明を省略する。
【００６３】
図９は、本開示により提供される１つのネットワーク装置の構成図である。図９に示すように、ネットワーク装置９００は、
チャネル状態を監視するための監視モジュール９０１と、
前記チャネルがアイドル状態にある場合において、ネットワーク装置の残りＣＯＴを示すための第１のＣＯＴ情報を指示することに使用する送信モジュール９０２と、を備える。
【００６４】
オプションで、前記送信モジュール９０２は、最初に送信したｓｌｏｔまたはｐａｒｔｉａｌ  ｓｌｏｔ、ｍｉｎｉ−ｓｌｏｔの中において、第１のＣＯＴ情報を指示することに使用してもよい。
【００６５】
あるいは、前記送信モジュール９０２はさらに、最初に送信したｓｌｏｔまたはｐａｒｔｉａｌ  ｓｌｏｔ、ｍｉｎｉ−ｓｌｏｔの中において、第１のＣＯＴ情報を指示した後に第１のＣＯＴ情報を定期的に指示することに使用してもよい。
【００６６】
また、オプションで、前記第１のＣＯＴ情報を指示する周期の単位はｍｓ、ｓｕｂｆｒａｍｅまたはｓｌｏｔとすることができる。
【００６７】
オプションで、前記周期は少なくとも１つのｓｌｏｔを含み得る。前記第１のＣＯＴ情報は、前記周期における任意のｓｌｏｔにある。
【００６８】
あるいは、ネットワーク装置の総ＣＯＴが増加した場合、前の周期において指示した第１のＣＯＴ情報および増加したＣＯＴによって、次の周期に指示する第１のＣＯＴ情報を取得してもよい。
【００６９】
オプションで、上記の残りのＣＯＴの単位は、ｍｓ、ｓｕｂｆｒａｍｅ、ｓｌｏｔ、ｍｉｎｉ−ｓｌｏｔまたはｓｙｍｂｏｌとすることができる。
【００７０】
オプションで、前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値とすることができる。
【００７１】
あるいは、前記第１のＣＯＴ情報は、初期信号、ＤＣＩまたはシーケンスによって運ばれることができる。
【００７２】
また、オプションとして、前記初期信号は、ＰＤＣＣＨの中、またはＰＤＣＣＨドメインにおける第１のプリセット位置に存在してもよい。
【００７３】
オプションで、前記シーケンスは、ＰＤＣＣＨドメインにおける第２のプリセット位置に存在することができる。
【００７４】
また、チャネル状態を監視する前に、前記ネットワーク装置はさらに、
第２のＣＯＴ情報を受信した場合において、前記第２のＣＯＴ情報により、隣接セルのネットワーク装置のＣＯＴ終了時刻を確認することに使用する処理モジュールを含む。前記ＣＯＴ終了時刻は、チャネル状態を監視する時刻を確認するために使用する。前記第２のＣＯＴ情報は、前記隣接セルのネットワーク装置によって送信され、前記隣接セルのネットワーク装置の、残りのＣＯＴを指示するために使用する。
【００７５】
また、前記監視モジュールは、具体的に、前記ＣＯＴ終了時刻にチャネル状態を監視し始めるときに使用してもよい。または、前記ＣＯＴ終了時刻の１つ前のｓｌｏｔ、ｓｕｂｆｒａｍｅにおいてチャネル状態を監視するときに使用しても構わない。
【００７６】
本開示の実施形態が提供するネットワーク装置は、図２に示す実施形態におけるネットワーク装置により実現した各プロセスを実現することができる。重複を避けるために、ここで説明を省略する。展開するリソースのコストを低減することもできる。
【００７７】
図１０は、本開示により提供される１つの端末の構成図である。図１０に示すように、端末１０００は、
残りのＣＯＴを示すための第１のＣＯＴ情報を受信することに使用する受信モジュール１００１と、
前記残りのＣＯＴにおいて、ＰＤＣＣＨブラインド検出を実行することに使用する検出モジュール１００２と、を備える。
【００７８】
オプションで、前記受信モジュール１００１は、具体的に、最初に送信したｓｌｏｔまたはｐａｒｔｉａｌ  ｓｌｏｔ、ｍｉｎｉ−ｓｌｏｔの中において、第１のＣＯＴ情報を受信することに使用してもよい。
【００７９】
あるいは、前記受信モジュール１００１はさらに、最初に送信したｓｌｏｔまたはｐａｒｔｉａｌ  ｓｌｏｔ、ｍｉｎｉ−ｓｌｏｔの中において、第１のＣＯＴ情報を受信した後に第１のＣＯＴ情報を定期的に受信することに使用してもよい。
【００８０】
オプションで、前記第１のＣＯＴ情報を受信する周期の単位はｍｓ、ｓｕｂｆｒａｍｅまたはｓｌｏｔとすることができる。
【００８１】
オプションで、前記周期は少なくとも１つのｓｌｏｔを含み得る。前記第１のＣＯＴ情報は、前記周期における任意のｓｌｏｔにある。
【００８２】
オプションで、上記の残りのＣＯＴの単位は、ｍｓ、ｓｕｂｆｒａｍｅ、ｓｌｏｔ、ｍｉｎｉ−ｓｌｏｔまたはｓｙｍｂｏｌとすることができる。
【００８３】
オプションで、前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値とすることができる。
【００８４】
あるいは、前記第１のＣＯＴ情報は、初期信号、ＤＣＩまたはシーケンスによって運ばれることができる。
【００８５】
また、オプションとして、前記初期信号は、ＰＤＣＣＨの中、またはＰＤＣＣＨドメインにおける第１のプリセット位置に存在してもよい。
【００８６】
オプションで、前記シーケンスは、ＰＤＣＣＨドメインにおける第２のプリセット位置に存在することができる。
【００８７】
本開示の実施形態により提供される端末は、図１０に示す実施形態における端末により実現した各プロセスを実現することができる。重複を避けるために、ここで説明を省略する。
【００８８】
図１１は、本開示の実施形態により提供されるもう１つのネットワーク装置の構成図である。図１１に示すように、当該ネットワーク装置１１００は、プロセッサ１１０１と、トランシーバ１１０２と、メモリ１１０３と、バスインターフェースと、を備える。そのうち、
プロセッサ１１０１は、チャネル状態を監視するために使用する。
【００８９】
トランシーバ１１０２は、前記チャネルがアイドル状態にある場合において、ネットワーク装置の残りのＣＯＴを示すための、第１のＣＯＴ情報を指示するために使用する。
【００９０】
オプションとして、トランシーバ１１０２は、具体的に、最初に送信したｓｌｏｔまたはｐａｒｔｉａｌ  ｓｌｏｔ、ｍｉｎｉ−ｓｌｏｔの中において、第１のＣＯＴ情報を指示することに使用してもよい。
【００９１】
あるいは、トランシーバ１１０２はさらに、最初に送信したｓｌｏｔまたはｐａｒｔｉａｌ  ｓｌｏｔ、ｍｉｎｉ−ｓｌｏｔの中において、第１のＣＯＴ情報を指示した後に第１のＣＯＴ情報を定期的に指示することに使用してもよい。
【００９２】
また、オプションで、前記第１のＣＯＴ情報を指示する周期の単位はｍｓ、ｓｕｂｆｒａｍｅまたはｓｌｏｔとすることができる。
【００９３】
オプションで、前記周期は少なくとも１つのｓｌｏｔを含み得る。前記第１のＣＯＴ情報は、前記周期における任意のｓｌｏｔにある。
【００９４】
あるいは、ネットワーク装置の総ＣＯＴが増加した場合、前の周期において指示した第１のＣＯＴ情報および増加したＣＯＴによって、次の周期に指示する第１のＣＯＴ情報を取得してもよい。
【００９５】
オプションで、上記の残りのＣＯＴの単位は、ｍｓ、ｓｕｂｆｒａｍｅ、ｓｌｏｔ、ｍｉｎｉ−ｓｌｏｔまたはｓｙｍｂｏｌとすることができる。
【００９６】
オプションで、前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値とすることができる。
【００９７】
あるいは、前記第１のＣＯＴ情報は、初期信号、ＤＣＩまたはシーケンスによって運ばれることができる。
【００９８】
また、オプションとして、前記初期信号は、ＰＤＣＣＨの中、またはＰＤＣＣＨドメインにおける第１のプリセット位置に存在してもよい。
【００９９】
オプションで、前記シーケンスは、ＰＤＣＣＨドメインにおける第２のプリセット位置に存在することができる。
【０１００】
あるいは、チャネル状態を監視する前に、前記トランシーバ１１０２はさらに、第２のＣＯＴ情報を受信した場合において、前記第２のＣＯＴ情報により、隣接セルのネットワーク装置のＣＯＴ終了時刻を確認することに使用してもよい。前記ＣＯＴ終了時刻は、チャネル状態を監視する時刻を確認するために使用する。前記第２のＣＯＴ情報は、前記隣接セルのネットワーク装置によって送信され、前記隣接セルのネットワーク装置の、残りのＣＯＴを指示するために使用する。
【０１０１】
オプションとして、前記プロセッサ１１０１は、具体的に、前記ＣＯＴ終了時刻にチャネル状態を監視し始めるときに使用してもよい。または、前記ＣＯＴ終了時刻の１つ前のｓｌｏｔ、ｓｕｂｆｒａｍｅにおいてチャネル状態を監視するときに使用しても構わない。
【０１０２】
図１１に示すバスアーキテクチャは、任意の数の相互に接続するバスおよびブリッジを含み得る。具体的には、プロセッサ１１０１が代表する１つまたは複数のプロセッサによって、メモリ１１０３が代表する各回路と接続する。また、バスアーキテクチャは、周辺デバイスや、調整器、電力管理回路などの多種な他の電気回路と接続しても構わない。これらはすべて公知の技術であるため、ここでは説明を省略する。バスインターフェースは、インターフェースを提供する。トランシーバ１１０２は複数の素子であってもよい。すなわち、送信器と、受信器と、を含み、伝送媒体で多種な他の装置と通信するためのユニットを提供する。異なるユーザ装置に対して、ユーザインターフェース１１０４は、必要なデバイスを外部または内部から接続可能なインターフェースとすることができる。接続するデバイスは、キーパッド、ディスプレイ、スピーカー、マイクロフォン、ジョイスティックなどを含むが、これらに限定されない。
【０１０３】
プロセッサ１１０１は、バスアーキテクチャと一般的な処理の管理の役割を担う。メモリ１１０３は、プロセッサ１１０１の実行時に使用したデータを格納することができる。
【０１０４】
オプションとして、本開示の実施形態はさらに１つのネットワーク装置を提供する。前記装置は、プロセッサ１１０１と、メモリ１１０３と、前記メモリ１１０３に格納されており、前記プロセッサ１１０１上で実行できるコンピュータプログラムと、を備える。前記プロセッサ１１０１によって前記コンピュータプログラムを実行すると、上記の免許不要帯域の、送信時間の指示方法に関する実施形態の各プロセスが実行され、同じ技術効果を達成可能である。ここで説明を省略する。
【０１０５】
図１２は、本開示の各実施形態を実現する端末のハードウェアの構成図である。
【０１０６】
当該端末１２００は、高周波１２０１、ネットワークモジュール１２０２、音声出力ユニット１２０３、入力ユニット１２０４、センサー１２０５、ディスプレイユニット１２０６、ユーザ入力ユニット１２０７、インターフェースユニット１２０８、メモリ１２０９、プロセッサ１２１０、および電源１２１１などの部品を含むが、これらに限定されない。当業者であれば、図１２に示す端末構造は端末に対して限定されるものではなく、端末は図例より多いまたは少ない部品を含み得る、またはある部品との組み合わせ、もしくは異なる部品による配置を含み得ることが理解できる。本開示の実施形態において、端末は、携帯電話、タブレット、ノートパソコン、携帯情報端末、車載端末、ウェアラブル端末、および歩数計などを含むが、これらに限定されない。
【０１０７】
高周波ユニット１２０１は、残りのＣＯＴを示すための第１のＣＯＴ情報を受信することに使用する。
【０１０８】
プロセッサ１２１０は、前記残りのＣＯＴにおいて、ＰＤＣＣＨブラインド検出を実行することに使用する。
【０１０９】
オプションで、プロセッサ１２１０は、具体的に、最初に送信したｓｌｏｔまたはｐａｒｔｉａｌ  ｓｌｏｔ、ｍｉｎｉ−ｓｌｏｔの中において、第１のＣＯＴ情報を受信することに使用してもよい。
【０１１０】
あるいは、プロセッサ１２１０はさらに、最初に送信したｓｌｏｔまたはｐａｒｔｉａｌ  ｓｌｏｔ、ｍｉｎｉ−ｓｌｏｔの中において、第１のＣＯＴ情報を受信した後に第１のＣＯＴ情報を定期的に受信することに使用してもよい。
【０１１１】
オプションで、前記第１のＣＯＴ情報を受信する周期の単位はｍｓ、ｓｕｂｆｒａｍｅまたはｓｌｏｔとすることができる。
【０１１２】
オプションで、前記周期は少なくとも１つのｓｌｏｔを含み得る。前記第１のＣＯＴ情報は、前記周期における任意のｓｌｏｔにある。
【０１１３】
オプションで、上記の残りのＣＯＴの単位は、ｍｓ、ｓｕｂｆｒａｍｅ、ｓｌｏｔ、ｍｉｎｉ−ｓｌｏｔまたはｓｙｍｂｏｌとすることができる。
【０１１４】
オプションで、前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値とすることができる。
【０１１５】
あるいは、前記第１のＣＯＴ情報は、初期信号、ＤＣＩまたはシーケンスによって運ばれることができる。
【０１１６】
また、オプションとして、前記初期信号は、ＰＤＣＣＨの中、またはＰＤＣＣＨドメインにおける第１のプリセット位置に存在してもよい。
【０１１７】
オプションで、前記シーケンスは、ＰＤＣＣＨドメインにおける第２のプリセット位置に存在することができる。
【０１１８】
なお、本開示の実施形態において、高周波ユニット１２０１はメッセージの送信・受信または通話中における信号の送信・受信に使用可能であることを理解されたい。具体的には、基地局からのダウンリンクデータを受信した後、プロセッサ１２１０に処理させる。また、アップリンクデータを基地局に伝送する。通常、高周波ユニット１２０１は、アンテナ、少なくとも１つの増幅器、トランシーバ、カプラ、低雑音増幅器、デュプレクサなどを含むが、これらに限定されない。また、高周波ユニット１２０１は、無線通信システムを介してネットワークおよびその他のデバイスと通信することができる。
【０１１９】
端末はネットワークモジュール１２０２を介してユーザに無線のブロードバンドインターネット接続を提供する。例えば、ユーザによる電子メールの送信・受信や、ウェブサイトの閲覧、ストリーミングへのアクセスなどをサポートする。
【０１２０】
音声出力ユニット１２０３は、高周波ユニット１２０１またはネットワークモジュール１２０２から受信した音声データまたは、メモリ１２０９に保存されている音声データを音声信号に変換して音声に出力する。また、音声出力ユニット１２０３はさらに、端末１２００から実行する特定の機能に関する音声出力（呼び出し信号を受信するときの着信音、メッセージを受信するときの通知音など）を提供することもできる。音声出力ユニット１２０３は、スピーカー、ブザーおよび受話器などを含む。
【０１２１】
入力ユニット１２０４は、音声またはビデオ信号を受信することに使用する。入力ユニット１２０４は、図学処理装置（Ｇｒａｐｈｉｃｓ  Ｐｒｏｃｅｓｓｉｎｇ  Ｕｎｉｔ、ＧＰＵ）１２０４１およびマイク１２０４２を含み得る。図学処理装置１２０４１は、画面キャプチャモードまたは画像キャプチャモードで、画像キャプチャ装置（カメラなど）によって取得した静止画像またはビデオの画像データを処理する。処理後の画像フレームは、ディスプレイユニット１２０６に表示することができる。図学処理装置１２０４１が処理した画像フレームは、メモリ１２０９（またはその他の記憶媒体）に保存可能であって、高周波ユニット１２０１またはネットワークモジュール１２０２によって送信されることも可能である。マイク１２０４２は、音声を受信して、このような音声を音声データに処理するができる。処理後の音声データは、通話モードでは、高周波ユニット１２０１を介して基地局に送信できる形式に変換可能である。
【０１２２】
端末１２００はさらに、少なくとも１つのセンサー１２０５（光センサー、人感センサーおよびその他のセンサーなど）を含む。具体的に、光センサーは環境光センサーおよび近接センサーを含む。そのうち、環境光センサーは、環境光の明るさによって表示パネル１２０６１の明るさを調整することができる。近接センサーは、端末１２００が耳元に移動するときに表示パネル１２０６１および／またはバックライトをオフにすることができる。人感センサーの１つとして、加速度センサーは各方向（一般的には３軸）の加速度の大きさ、静止時の重力の大きさと方向を測定可能で、端末の姿勢識別（画面の縦向き／横向きの切り替え、関連ゲーム、磁気センサーの姿勢校正など）、振動による関連機能の識別などに使用可能である。さらに、センサー１２０５は、指紋センサー、圧力センサー、虹彩センサー、分子センサー、ジャイロスコープ、気圧計、湿度計、温度計、赤外線センサーなどを含み得る。
【０１２３】
ディスプレイユニット１２０６は、ユーザが入力した情報またはユーザに提供する情報を表示するために使用する。ディスプレイユニット１２０６は、表示パネル１２０６１を含むことが可能で、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル１２０６１を構成することができる。
【０１２４】
ユーザ入力ユニット１２０７は、入力した数字または文字情報を受信すること、端末のユーザ設定および機能制御に関するキー信号入力を生成することに使用可能である。具体的に、ユーザ入力ユニット１２０７は、タッチパネル１２０７１およびその他の入力装置１２０７２を含む。タッチパネル１２０７１は、タッチスクリーンとも呼ばれる。ユーザによるその表面、またはその近くで行うタッチ操作（ユーザが指、スタイラスなど、任意の適切なものまたは付属品を用いてタッチパネル１２０７１またはタッチパネル１２０７１の近くで行う操作）を収集することができる。タッチパネル１２０７１は、タッチ検出装置およびタッチコントローラの２つの部分を含み得る。そのうち、タッチ検出装置は、ユーザのタッチ方向を検出し、タッチ操作による信号を検出して、信号をタッチコントローラに送信する。タッチコントローラは、タッチ検出装置からタッチ情報を受信してから、タッチポイント座標に変換してプロセッサ１２１０に送信する。その後、プロセッサ１２１０からのコマンドを受信して実行する。また、電気抵抗式、静電容量式、赤外線および表面弾性波など、多種のタッチパネルを用いて、タッチパネル１２０７１を実現することができる。タッチパネル１２０７１に加えて、ユーザ入力ユニット１２０７はさらに、その他の入力装置１２０７２を含み得る。具体的に、その他の入力装置１２０７２は物理的キーボード、機能キー（音量調整ボタン、スイッチボタンなど）、トラックボール、マウス、ジョイスティックを含むが、これらに限定されない。
【０１２５】
さらに、タッチパネル１２０７１は、表示パネル１２０６１の上に覆うことが可能で、タッチパネル１２０７１はその表面またはその近くで行うタッチ操作を検出すると、それをプロセッサ１２１０に送信して、タッチイベントのタイプを確認する。その後、プロセッサ１２１０はタッチイベントによって、表示パネル１２０６１上に対応する視覚的な出力を提供する。図１２では、タッチパネル１２０７１および表示パネル１２０６１は、２つの独立した部品として端末の入力・出力機能を実現している。しかし、一部の実施形態において、タッチパネル１２０７１および表示パネル１２０６１を集積して、端末の入力・出力機能を実現することも可能で、ここで具体的に限定しない。
【０１２６】
インターフェースユニット１２０８は、外部装置と端末１２００との接続のインターフェースである。例えば、外部装置は、有線または無線タイプのヘッドホンポート、外部電源（またはバッテリー充電器）ポート、有線または無線タイプのデータポート、メモリポート、識別モジュール搭載の装置に接続するためのポート、音声入力／出力（Ｉ／Ｏ）ポート、ビデオＩ／Ｏポート、イヤホンポートなどを含み得る。インターフェース１２０８は、外部装置による入力（データ情報、電力など）を受信し、受信した入力を端末１２００にある１つまたは複数の素子に伝送することに使用可能である。または、端末１２００と外部装置との間のデータ送信に使用可能である。
【０１２７】
メモリ１２０９は、ソフトウェアプログラムおよび各種類のデータを保存するために使用することができる。メモリ１２０９は、主にプログラムの保存領域およびデータの保存領域を含み得る。そのうち、プログラムの保存領域は、オペレーティングシステム、または少なくとも１つの機能に必要とされるアプリケーション（音声再生機能、画像再生機能など）などを保存することができる。データの保存領域は、携帯電話の使用によって作成されたデータ（音声データ、電話帳など）を保存することができる。また、メモリ１２０９は、高速ランダムアクセスメモリ、不揮発性メモリを含み得る。例えば、少なくとも１つの磁気ディスク記憶装置、フラッシュメモリ装置、またはその他の揮発性ソリッドステートメモリなどである。
【０１２８】
プロセッサ１２１０は、端末のコントロールセンターであって、各インターフェースおよび回路を利用して端末全体の各部分を接続する。メモリ１２０９に保存されているソフトウェアプログラムおよび／またはモジュールを実行して、メモリ１２０９に保存されているデータを呼び出すことで、端末の各機能の実行とデータ処理を行って、端末の全体的な監視・管理を実現する。プロセッサ１２１０は、１つまたは複数の処理ユニットを含み得る。オプションとして、プロセッサ１２１０は、アプリケーションプロセッサとモデムプロセッサを集積可能である。そのうち、アプリケーションプロセッサは主にオペレーティングシステムや、ユーザインターフェース、アプリケーションなどを処理する。モデムプロセッサは主に無線通信を処理する。なお、前記モデムプロセッサは、プロセッサ１２１０に集積しなくてもよいことを理解されたい。
【０１２９】
端末１２００はさらに、各部品に電力を供給する電源１２１１（バッテリーなど）を含み得る。オプションとして、電源１２１１は、電源管理システムを介してプロセッサ１２１０と論理的に接続して、電源管理システムによる充電、放電、消費電力の管理などの機能を実現することができる。
【０１３０】
また、端末１２００は一部、示していない機能モジュールを含んでおり、ここで説明を省略する。
【０１３１】
オプションとして、本開示の実施形態はさらに１つの端末を提供する。前記端末は、プロセッサ１２１０と、メモリ１２０９と、前記メモリ１２０９に格納されており、前記プロセッサ１２１０上で実行できるコンピュータプログラムと、を備える。前記プロセッサ１２１０から前記コンピュータプログラムを実行すると、上記の免許不要帯域の、送信時間の指示方法に関する実施形態の各プロセスが実行され、同じ技術効果を達成可能である。ここで説明を省略する。
【０１３２】
本開示の実施形態はさらに、コンピュータ読み取り可能な記憶媒体を提供する。コンピュータ読み取り可能な記憶媒体にコンピュータプログラムが保存されており、プロセッサによって前記コンピュータプログラムを実行すると、本開示の実施形態が提供するネットワーク装置側による免許不要帯域の送信時間の指示方法についての各プロセス、または本開示の実施形態が提供する端末側による免許不要帯域の送信時間の指示方法についての各プロセス、が実行され、同じ技術効果を達成可能である。ここで説明を省略する。ここで、前記コンピュータ読み取り可能な記憶媒体は、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、フロッピーディスクまたは光ディスクなどを含む。
【０１３３】
なお、本開示では、用語「備える」、「含む」およびその他のすべての変形は、「非排他的な包括」という意味をカバーすることが意図される。これにより、一連の要素を含むプロセス、方法、システム、ものまたはデバイスはこれらの要素を備えるだけでなく、詳しく列記していないその他の要素、またはそのプロセス、方法、もの、デバイスの固有的な要素も含むようになる。さらに限定がない場合、語句「１つの○○を含む」に限定された要素は、当該要素を含むプロセス、方法、ものまたは装置の中に存在する同じ要素を排除するものではない。
【０１３４】
上記の実施方法に関する説明により、当業者は、ソフトウェアに加えて、必要で一般的なハードウェアプラットフォームを用いて上記の実施形態を実現できることを把握することができる。勿論、ハードウェアで実現することも可能であるが、多くの場合、前者はより良い実施方法である。このような理解に基づいて、本開示の技術方法は本質的にソフトウェア製品の形式で表すことができる。言い換えれば、関連技術が寄与した部分は、にソフトウェア製品の形式で表すことができる。当該コンピュータソフトウェア製品は、１つの記憶媒体（ＲＯＭ／ＲＡＭ、フロッピーディスク、光ディスクなど）に保存されており、１台の端末（携帯電話、コンピュータ、サーバ、空調、基地局など）に本開示の各実施形態に述べた方法を実行させるための若干のコマンドを含む。
【０１３５】
上記では、図面に基づいて本開示の実施形態について説明しているが、本開示は、上記の具体的な実施方法に限定されるものではない。上記の具体的な実施方法は、ただ例示的なものであって、限定的なものではない。本分野の一般技術者は、本開示により、本開示の趣旨および特許請求の範囲内で、さまざまな形式で行うことが可能で、これらはすべて本開示の保護対象となる。
【図１】
2022501908.tif 000003
【図２】
2022501908.tif 000004
【図３】
2022501908.tif 000005
【図４】
2022501908.tif 000006
【図５】
2022501908.tif 000007
【図６】
2022501908.tif 000008
【図７】
2022501908.tif 000009
【図８】
2022501908.tif 000010
【図９】
2022501908.tif 000011
【図１０】
2022501908.tif 000012
【図１１】
2022501908.tif 000013
【図１２】
2022501908.tif 000014
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
ネットワーク装置に適用する、免許不要帯域の送信時間の指示方法であって、
チャネル状態を監視することと、
前記チャネルがアイドル状態にある場合において、ネットワーク装置の残りのＣＯＴを示すための第１のＣＯＴ情報を指示することと、を備えることを特徴とする方法。
【請求項２】
前記第１のＣＯＴ情報を指示することは、
最初に送信したｓｌｏｔまたはｐａｒｔｉａｌ  ｓｌｏｔ、ｍｉｎｉ−ｓｌｏｔの中において、第１のＣＯＴ情報を指示することを含む、ことを特徴とする請求項１に記載の方法。
【請求項３】
最初に送信したｓｌｏｔまたはｐａｒｔｉａｌ  ｓｌｏｔ、ｍｉｎｉ−ｓｌｏｔの中において、第１のＣＯＴ情報を指示した後、第１のＣＯＴ情報を指示することはさらに、
第１のＣＯＴ情報を定期的に指示することを含み、
前記第１のＣＯＴ情報を指示する周期の単位はｍｓ、ｓｕｂｆｒａｍｅまたはｓｌｏｔである、ことを特徴とする請求項２に記載の方法。
【請求項４】
前記周期は少なくとも１つのｓｌｏｔを含み、前記第１のＣＯＴ情報は、前記周期における任意のｓｌｏｔにある、ことを特徴とする請求項３に記載の方法。
【請求項５】
ネットワーク装置の総ＣＯＴが増加した場合、前の周期において指示した第１のＣＯＴ情報および増加したＣＯＴによって、次の周期に指示する第１のＣＯＴ情報を取得する、ことを特徴とする請求項４に記載の方法。
【請求項６】
前記残りのＣＯＴの単位は、ｍｓ、ｓｕｂｆｒａｍｅ、ｓｌｏｔ、ｍｉｎｉ−ｓｌｏｔまたはｓｙｍｂｏｌであり、
前記残りのＣＯＴは、実際残りの時間に基づいて前記残りのＣＯＴの単位で次の整数値に繰り上げた値、または実際残りの時間に基づいて前記残りのＣＯＴの単位で前の整数値に繰り下げた値である、ことを特徴とする請求項１に記載の方法。
【請求項７】
前記第１のＣＯＴ情報は、初期信号、ＤＣＩまたはシーケンスによって運ばれ、
ここで、
前記初期信号は、ＰＤＣＣＨの中、またはＰＤＣＣＨドメインにおける第１のプリセット位置に存在する、
又は、
前記シーケンスは、ＰＤＣＣＨドメインにおける第２のプリセット位置に存在する、ことを特徴とする請求項１に記載の方法。
【請求項８】
チャネル状態を監視する前に、前記方法はさらに、
第２のＣＯＴ情報を受信した場合において、前記第２のＣＯＴ情報により、隣接セルのネットワーク装置のＣＯＴ終了時刻を確認することを含み、前記ＣＯＴ終了時刻は、チャネル状態を監視する時刻を確認するために使用し、前記第２のＣＯＴ情報は、前記隣接セルのネットワーク装置によって送信され、前記隣接セルのネットワーク装置の、残りのＣＯＴを指示するために使用する、ことを特徴とする請求項１に記載の方法。
【請求項９】
チャネル状態を監視することは、
前記ＣＯＴ終了時刻からチャネル状態を監視すること、または、
前記ＣＯＴ終了時刻の１つ前のｓｌｏｔ／ｓｕｂｆｒａｍｅでチャネル状態を監視すること、を備えることを特徴とする請求項８に記載の方法。
【請求項１０】
端末に適用する、免許不要帯域の送信時間の指示方法であって、
残りのＣＯＴを示すための第１のＣＯＴ情報を受信することと、
前記残りのＣＯＴにおいて、ＰＤＣＣＨブラインド検出を実行することと、を備える方法。
【請求項１１】
第１のＣＯＴ情報を受信することは、
最初に送信したｓｌｏｔまたはｐａｒｔｉａｌ  ｓｌｏｔ、ｍｉｎｉ−ｓｌｏｔの中において、第１のＣＯＴ情報を受信することを含む、ことを特徴とする請求項１０に記載の方法。
【請求項１２】
最初に送信したｓｌｏｔまたはｐａｒｔｉａｌ  ｓｌｏｔ、ｍｉｎｉ−ｓｌｏｔの中において、第１のＣＯＴ情報を受信した後、第１のＣＯＴ情報を受信することはさらに、
第１のＣＯＴ情報を定期的に受信することを含み、
前記第１のＣＯＴ情報を受信する周期の単位はｍｓ、ｓｕｂｆｒａｍｅまたはｓｌｏｔである、ことを特徴とする請求項１１に記載の方法。
【請求項１３】
前記周期は少なくとも１つのｓｌｏｔを含み、前記第１のＣＯＴ情報は、前記周期における任意のｓｌｏｔにある、ことを特徴とする請求項１２に記載の方法。
【請求項１４】
チャネル状態を監視するための監視モジュールと、
前記チャネルがアイドル状態にある場合において、ネットワーク装置の残りＣＯＴを示すための第１のＣＯＴ情報を指示することに使用する送信モジュールと、を備えることを特徴とするネットワーク装置。
【請求項１５】
残りのＣＯＴを示すための第１のＣＯＴ情報を受信することに使用する受信モジュールと、
前記残りのＣＯＴにおいて、ＰＤＣＣＨブラインド検出を実行することに使用する検出モジュールと、を備えることを特徴とする端末。
【国際調査報告】
2022501908.tif 000015
2022501908.tif 000016
2022501908.tif 000017
2022501908.tif 000018